【手続補正書】
【提出日】平成17年5月19日(2005.5.19)
【手続補正１】
【補正対象書類名】明細書
【補正対象項目名】特許請求の範囲
【補正方法】変更
【補正の内容】
【特許請求の範囲】
【請求項１】
機体の後部に、操縦を行う操縦ハンドルと、この操縦ハンドルの前側に設けられた操作パネルに配設される操作レバーとを有する自走式除雪機において、
前記操縦ハンドルの近傍に、少なくとも片方の手で操作していないと除雪機の作業ができなくなるデッドマンクラッチ、またはデッドマンスイッチを、前記操作レバーと別個に設けたことを特徴とする除雪機の操作装置。
【請求項２】
上記操作レバーを、一本の操作レバーにより複数の操作が行えるマルチレバーとし、デッドマンクラッチ、またはデッドマンスイッチと関連させたことを特徴とする請求項１記載の除雪機の操作装置。
【請求項３】
上記操作レバーを、複数の操作レバーが集中して配置され、連繋して操作可能の構成とし、これら操作レバーとデッドマンクラッチ、またはデッドマンスイッチと関連させたことを特徴とする請求項１記載の除雪機の操作装置。
【請求項４】
機体の後部に、操縦を行う操縦ハンドルと、この操縦ハンドルの前側に設けられた操作パネルに配設される複数の操作レバーとを有する自走式除雪機において、
少なくとも片方の手で操作していないと除雪機の作業ができなくなるデッドマンクラッチ、またはデッドマンスイッチを前記操作レバーに設けたことを特徴とする除雪機の操作装置。
【手続補正２】
【補正対象書類名】明細書
【補正対象項目名】０００２
【補正方法】変更
【補正の内容】
【０００２】    【従来の技術】  従来、図１０及び図１１に示すように、機体Ｂの後部に、機体Ｂの操縦を行う操縦ハンドルＣと、この操縦ハンドルＣの前側に設けられた操作パネルＤに配設される操作レバー群Ｅと、を有する自走式除雪機Ａが周知である。この除雪機Ａは、機体Ｂ上にエンジン部Ｆ及び油圧装置などを搭載し、エンジン部Ｆの後方の機体Ｂ下部に、油圧無段変速装置（ＨＳＴ）を備えるトランスミッション（変速機構）Ｇにより駆動されるクローラ走行装置Ｈを装備している。機体Ｂの前側には、フローティング及びローリング制御が可能の除雪部Ｉと、除雪部Ｉから上方に延び、除雪部ＩにオーガＪにより掻き込まれてブロワＫにより吹き上げられる雪を投擲するための，投雪方向を変更可能にした投雪シュートＬが設けられ、機体の前進走行と共に、除雪作業を行うようにしている。
【手続補正３】
【補正対象書類名】明細書
【補正対象項目名】０００５
【補正方法】変更
【補正の内容】
【０００５】    【課題を解決するための手段】  上記の目的を達成するために本発明は、以下の構成を有する。Ａ．機体の後部に、操縦を行う操縦ハンドルと、この操縦ハンドルの前側に設けられた操作パネルに配設される操作レバーとを有する自走式除雪機において、前記操縦ハンドルの近傍に、少なくとも片方の手で操作していないと除雪機の作業ができなくなるデッドマンクラッチ、またはデッドマンスイッチを、操作レバーと別個に設けた。
【手続補正４】
【補正対象書類名】明細書
【補正対象項目名】０００６
【補正方法】変更
【補正の内容】
【０００６】Ｂ．上記操作レバーを、一本の操作レバーにより複数の操作が行えるマルチレバーとし、デッドマンクラッチ、またはデッドマンスイッチと関連させた。Ｃ．上記操作レバーを、複数の操作レバーが集中して配置され、連繋して操作可能の構成とし、これら操作レバーとデッドマンクラッチ、またはデッドマンスイッチと関連させた。Ｄ．機体の後部に、操縦を行う操縦ハンドルと、この操縦ハンドルの前側に設けられた操作パネルに配設される複数の操作レバーとを有する自走式除雪機において、少なくとも片方の手で操作していないと除雪機の作業ができなくなるデッドマンクラッチ、またはデッドマンスイッチを、操作レバーに設けた。
【手続補正５】
【補正対象書類名】明細書
【補正対象項目名】０００７
【補正方法】変更
【補正の内容】
【０００７】    【作用】  上記Ａ．〜Ｄ．（請求項１〜４）の構成を有することによって、本発明の除雪機の操作装置は、以下の作用をする。(1)操縦ハンドルの近傍に、少なくとも片方の手で操作していないと除雪機の作業ができなくなるデッドマンクラッチ、またはデッドマンスイッチを、操作レバーと別個に設けることで、除雪作業時に、片方の手でデッドマンクラッチ、またはデッドマンスイッチを操作した（握った）まま、他方の手で操作レバーを操作して、適切な除雪作業が行える。
【手続補正６】
【補正対象書類名】明細書
【補正対象項目名】０００８
【補正方法】変更
【補正の内容】
【０００８】(2)操作レバーを、一本の操作レバーにより複数の操作が行えるマルチレバーとし、デッドマンクラッチ、またはデッドマンスイッチと関連させることで、除雪作業時に、片方の手でデッドマンクラッチ、またはデッドマンスイッチを操作した（握った）まま、他方の手でマルチレバーを操作して、複数の作業を自在に選択して作業が行える。(3)操作レバーを、複数の操作レバーが集中して配置され、連繋して操作可能の構成とし、これら操作レバーとデッドマンクラッチ、またはデッドマンスイッチと関連させることで、除雪作業時に、片方の手でデッドマンクラッチ、またはデッドマンスイッチを操作した（握った）まま、他方の手で複数の操作レバーを連繋して操作し、複数の作業を行うことができる。(4)少なくとも片方の手で操作していないと除雪機の作業ができなくなるデッドマンクラッチ、またはデッドマンスイッチを、操作レバーに設けることで、該操作レバーを握って除雪作業を行っている時、作業者が操作レバーから手を離すと作業は停止される。
【手続補正７】
【補正対象書類名】明細書
【補正対象項目名】００１３
【補正方法】変更
【補正の内容】
【００１３】  上記操作レバー８には、マルチレバー１４のほか、前・後進、高速・低速を切り換える変速レバー１５、アクセルレバー１６などが設けられ、また、操作パネル７には各種のスイッチ類が設けられている。操縦ハンドル６から後方に突出するようにして、機体後退時に作業者が操縦ハンドル６と後方障害物（壁）との間に挟まれるような場合の緊急時に、機体の後退を停止させる後退時非常停止装置１７が設けられている。
【手続補正８】
【補正対象書類名】明細書
【補正対象項目名】００１６
【補正方法】変更
【補正の内容】
【００１６】  さらに、図示しないが、上記図１及び図２における一本の操作レバーにより、複数の操作が行えるマルチレバー１４の握り部（グリップ）にデッドマンクラッチ、またはデッドマンスイッチを設けて、作業者がマルチレバー１４を握って操作している間はマルチレバーで操作性よく選択した作業を行いながら除雪作業が行え、マルチレバー１４の握りを離すとデッドマンクラッチ、またはデッドマンスイッチが作動して、除雪機１の走行が停止し、または除雪部９の駆動が停止して、除雪作業が行われなくなるようにしてもよいものである。 また、図４及び図５における油圧レバー２０の握り部（グリップ）にデッドマンクラッチまたは、デッドマンスイッチを設けて、作業者が油圧レバー２０を握っている間は除雪作業が行え、油圧レバー２０の握りを離すとデッドマンクラッチまたはデッドマンスイッチが作動して、除雪機１の走行を停止しまたは除雪部９の駆動が停止して、除雪作業が行われなくなるようにしてもよい。  さらには、操縦ハンドル近傍と操作レバーの両方にデッドマンクラッチまたはデッドマンスイッチを設けると安全性の向上と作業性の向上が図れる。
【手続補正９】
【補正対象書類名】明細書
【補正対象項目名】００２３
【補正方法】変更
【補正の内容】
【００２３】(1)操縦ハンドルの近傍に、少なくとも片方の手で操作していないと除雪機の作業ができなくなるデッドマンクラッチ、またはデッドマンスイッチを、操作レバーと別個に設けたので、除雪作業時に、片方の手でデッドマンクラッチ、またはデッドマンスイッチを操作した（握った）まま、他方の手で操作レバーを操作して、適切な除雪作業が行うことができる。また、デッドマンクラッチ、またはデッドマンスイッチの操作を解除すると、除雪機は作業を停止し安全である
【手続補正１０】
【補正対象書類名】明細書
【補正対象項目名】００２５
【補正方法】変更
【補正の内容】
【００２５】(4)少なくとも片方の手で操作していないと除雪機の作業ができなくなるデッドマンクラッチ、またはデッドマンスイッチを、操作レバーに設けたので、デッドクラッチまたはデッドマンスイッチを設けた操作レバーを握って除雪作業を行っている時、作業者が操作レバーから手を離すと、作業は停止されて安全である。
【手続補正１１】
【補正対象書類名】明細書
【補正対象項目名】符号の説明
【補正方法】変更
【補正の内容】
【符号の説明】１ 自走型除雪機２ 基台３ クローラ走行装置４ エンジン部５ トランスミッション６ 操縦ハンドル ６ａ 握り部７ 操作パネル８ 操作レバー９ 除雪部 ９ａ オーガハウジング１０ オーガ１１ ブロワ１２ 投雪シュート１３ シュータデフレクタ１４ マルチレバー１５ 変速レバー１６ アクセルレバー１７ 後退時非常停止装置１８，１８ａ，１８ｂ，１８ｃ，１８ｄ デッドマンクラッチ、またはデッドマンスイッチ１９ サイドクラッチレバー２０ 油圧レバー２１ リンクロッド２２，２９ リターンスプリング２３ エンジン部のマイクロスイッチ２４ 支持フレーム２５ 回転軸２６ 走行クラッチフックピン２７ ワイヤフック２８ フック３０ ストッパ３１ リンクロッド３２ 除雪部クラッチフックピン
【手続補正１２】
【補正対象書類名】図面
【補正対象項目名】図１１
【補正方法】変更
【補正の内容】
【図１１】
2003336234.tif 000001